(57)【要約】【課題】原子炉圧力容器内に設けられたシュラウド等の炉内構造物の検査を作業性よく効率的に行うことのできる原子炉内検査方法および装置を提供する。【解決手段】水を貯留した原子炉４１内を三次元方向に移動する水中移動ビークル１と、水中移動ビークル１に点検センサ保持部３を介して取付けられた点検センサ２と、原子炉４１内に設けられ炉内構造物に対する水中移動ビークル１の位置の基準となる位置決め手段３０と、原子炉１１外に設けられ水中移動ビークル１の動作を制御する制御操作部５と、点検センサ９の出力信号を入力されて処理する点検センサ出力信号処理部６とを備えている。【選択図】  図１
2005030773.tif 000002
【特許請求の範囲】
【請求項１】
水を貯留した原子炉内を三次元方向に移動する水中移動ビークルと、前記水中移動ビークルに点検センサ保持部を介して取付けられた点検センサと、前記原子炉内に設けられ炉内構造物に対する前記水中移動ビークルの位置の基準となる位置決め手段と、前記原子炉外に設けられ前記水中移動ビークルの動作を制御する制御操作部と、前記点検センサの出力信号を入力されて処理する点検センサ出力信号処理部とを備えていることを特徴とする原子炉内検査装置。
【請求項２】
前記水中移動ビークルは、前記原子炉の上下方向に沿う推力を生じる上下スラスタと、前記原子炉の水平方向に沿う推力を生じる水平スラスタと、浮力を生じるフロートと、傾斜を検知する傾斜センサと、炉内構造物表面を走行する車輪と、前記走行の距離を計測する距離計とを備えていることを特徴とする請求項１記載の原子炉内検査装置。
【請求項３】
前記点検センサは、目視検査用カメラまたは体積検査用超音波センサまたは渦流探傷用センサであることを特徴とする請求項１記載の原子炉内検査装置。
【請求項４】
前記点検センサ保持部は、前記点検センサを前記水中移動ビークルの炉内構造物への吸着面に対向して近接離隔可動に支持し、前記吸着面までの距離を保つローラまたは自在車輪と、前記吸着面への押付け手段とを備え、前記点検センサを前記炉内構造物に対して所定の距離に保つことを特徴とする請求項１記載の原子炉内検査装置。
【請求項５】
前記吸着面への押付け手段はスラスタまたはスプリングであることを特徴とする請求項４記載の原子炉内検査装置。
【請求項６】
前記位置決め手段は、原子炉内の特定の炉内構造物に設置される治具であり、前記治具に前記水中移動ビークルを機械的に接触させて炉内構造物に対する前記水中移動ビークルの位置を設定することを特徴とする請求項１記載の原子炉内検査装置。
【請求項７】
前記位置決め手段は、原子炉内の特定の炉内構造物に設置された治具上に設けられた距離センサを備え、前記治具に前記水中移動ビークルを接近させ、前記距離センサで前記水中移動ビークルまたは前記点検センサまでの相対距離を測定することによって炉内構造物に対する前記水中移動ビークルの位置設定を行うことを特徴とする請求項１記載の原子炉内検査装置。
【請求項８】
前記位置決め手段は、原子炉内の特定の炉内構造物に設置された水中カメラを備え、前記特定の炉内構造物と前記水中移動ビークルまたは前記点検センサの相対位置を前記水中カメラで撮影し、その画像から所定の位置に前記水中移動ビークルが位置していることを判定して前記水中移動ビークルの位置設定を行うことを特徴とする請求項１記載の原子炉内検査装置。
【請求項９】
前記位置決め手段は、原子炉内の特定の炉内構造物に設置され撮影部位が既知である水中カメラを備え、前記水中カメラの画像内の基準位置に前記水中移動ビークルまたは前記点検センサ上の標的が撮像されていることを確認し、所定の位置に前記水中移動ビークルが位置していることを判定して前記水中移動ビークルの位置設定を行うことを特徴とする請求項１記載の原子炉内検査装置。
【請求項１０】
前記位置決め手段は、原子炉内の特定の炉内構造物に設置されたレーザーマーカと水中カメラを備え、炉内構造物に対するレーザーの照射位置をあらかじめ設定しておき、前記水中移動ビークルまたは前記点検センサ上の標的に前記レーザーが照射されていることを前記水中カメラで確認し、所定の位置に前記水中移動ビークルが位置していることを判定して前記水中移動ビークルの位置設定を行うことを特徴とする請求項１記載の原子炉内検査装置。
【請求項１１】
請求項２に記載の原子炉内検査装置において、前記制御操作部を操作して前記水中移動ビークルを前記水平スラスタにより炉内構造物に吸着させ前記車輪により前記炉内構造物上を移動させて、前記炉内構造物の検査を行うことを特徴とする原子炉内検査方法。
【発明の詳細な説明】
【０００１】
【発明の属する技術分野】
本発明は、原子炉圧力容器内に設けられたシュラウド等の炉内構造物の検査を行う原子炉内検査装置および方法に関する。
【０００２】
【従来の技術】
沸騰水型原子炉においては原子炉圧力容器内に溶接構造物であるシュラウドが設けられており、また、上部格子板と炉心支持板の間の炉心部や、炉心支持板より下の炉下部にも溶接部が存在する。
【０００３】
従来、上述のような炉心部ないし炉下部に存在する溶接部の点検、検査を行うためには、各種の点検センサや機器を長尺のポールの先端に取付け、人が炉上部から吊降ろし、上部格子板、炉心支持板を通過させて操りながら作業を行っている。また、上部格子板の格子や炉心支持板の穴を通過可能な上下に長い筐体内に、各種の点検センサの位置決めや、保持を行うマニピュレータや送り込み機構を設け、これを炉心支持板上や炉下部のＣＲＤハウジング上に設置して各種の作業を行っている。さらに、近年原子炉内の点検、検査を行う自動化装置も種々開発されている（下記特許文献１，２，３，４参照）。
【０００４】
【特許文献１】
特開平８−２０１５６８号公報
【特許文献２】
特開平１１−１４７８４号公報
【特許文献３】
特開平１１−２１１８７８号公報
【特許文献４】
特開２００３−４０１９４号公報
【０００５】
【発明が解決しようとする課題】
原子炉内検査作業を人手により行う場合は、検査範囲が点検センサを通過させた上部格子板の格子や炉心支持板の穴の近傍に限られてしまうので、シュラウドに沿って検査するには何度も上部格子板の上まで点検センサを引上げて再度吊降ろさなければならない。さらに水中下２５ｍもの位置で長尺のポールを操らなければならないので非常に作業性が悪く、多くの時間と労力を要する。また長尺の装置を炉心部や炉底部に設置して作業を行う場合でも、一つの設置位置から検査可能な範囲は限られており、設置位置を変更するには大型の装置を上部格子板の上まで吊上げてから次の設置位置に移動しなければならないので、これも時間と労力を要する作業となっていた。
【０００６】
本発明はかかる従来の事情に対処してなされたものであり、原子炉圧力容器内に設けられたシュラウド等の炉内構造物の検査を作業性よく効率的に行うことのできる原子炉内検査装置および方法を提供することを目的とする。
【０００７】
【課題を解決するための手段】
上記目的を達成するため、請求項１の発明の原子炉内検査装置は、水を貯留した原子炉内を三次元方向に移動する水中移動ビークルと、前記水中移動ビークルに点検センサ保持部を介して取付けられた点検センサと、前記原子炉内に設けられ炉内構造物に対する前記水中移動ビークルの位置の基準となる位置決め手段と、前記原子炉外に設けられ前記水中移動ビークルの動作を制御する制御操作部と、前記点検センサの出力信号を入力されて処理する点検センサ出力信号処理部とを備えている構成とする。
【０００８】
請求項２の発明は、前記水中移動ビークルは、前記原子炉の上下方向に沿う推力を生じる上下スラスタと、前記原子炉の水平方向に沿う推力を生じる水平スラスタと、浮力を生じるフロートと、傾斜を検知する傾斜センサと、炉内構造物表面を走行する車輪と、前記走行の距離を計測する距離計とを備えている構成とする。
【０００９】
請求項３の発明は、前記点検センサは、目視検査用カメラまたは体積検査用超音波センサまたは渦流探傷用センサである構成とする。
請求項４の発明は、前記点検センサ保持部は、前記点検センサを前記水中移動ビークルの炉内構造物への吸着面に対向して近接離隔可動に支持し、前記吸着面までの距離を保つローラまたは自在車輪と、前記吸着面への押付け手段とを備え、前記点検センサを前記炉内構造物に対して所定の距離に保つ構成とする。
【００１０】
請求項５の発明は、前記吸着面への押付け手段はスラスタまたはスプリングである構成とする。
請求項６の発明は、前記位置決め手段は、原子炉内の特定の炉内構造物に設置される治具であり、前記治具に前記水中移動ビークルを機械的に接触させて炉内構造物に対する前記水中移動ビークルの位置を設定する構成とする。
【００１１】
請求項７の発明は、前記位置決め手段は、原子炉内の特定の炉内構造物に設置された治具上に設けられた距離センサを備え、前記治具に前記水中移動ビークルを接近させ、前記距離センサで前記水中移動ビークルまたは前記点検センサまでの相対距離を測定することによって炉内構造物に対する前記水中移動ビークルの位置設定を行う構成とする。
【００１２】
請求項８の発明は、前記位置決め手段は、原子炉内の特定の炉内構造物に設置された水中カメラを備え、前記特定の炉内構造物と前記水中移動ビークルまたは前記点検センサの相対位置を前記水中カメラで撮影し、その画像から所定の位置に前記水中移動ビークルが位置していることを判定して前記水中移動ビークルの位置設定を行う構成とする。
【００１３】
請求項９の発明は、前記位置決め手段は、原子炉内の特定の炉内構造物に設置され撮影部位が既知である水中カメラを備え、前記水中カメラの画像内の基準位置に前記水中移動ビークルまたは前記点検センサ上の標的が撮像されていることを確認し、所定の位置に前記水中移動ビークルが位置していることを判定して前記水中移動ビークルの位置設定を行う構成とする。
【００１４】
請求項１０の発明は、前記位置決め手段は、原子炉内の特定の炉内構造物に設置されたレーザーマーカと水中カメラを備え、炉内構造物に対するレーザーの照射位置をあらかじめ設定しておき、前記水中移動ビークルまたは前記点検センサ上の標的に前記レーザーが照射されていることを前記水中カメラで確認し、所定の位置に前記水中移動ビークルが位置していることを判定して前記水中移動ビークルの位置設定を行う構成とする。
【００１５】
請求項１１の発明は原子炉内検査方法であり、請求項２に記載の原子炉内検査装置において、前記制御操作部を操作して前記水中移動ビークルを前記水平スラスタにより炉内構造物に吸着させ前記車輪により前記炉内構造物上を移動させて、前記炉内構造物の検査を行う構成とする。
【００１６】
【発明の実施の形態】
以下に本発明の第１の実施の形態の原子炉内検査装置を図１〜図６を参照して説明する。図１は、本実施の形態の原子炉内検査装置によって沸騰水型原子炉内の炉内構造物であるシュラウド４２の中間部胴や下部胴内面を検査する場合を示した概念図である。
【００１７】
図１に示すように、点検センサ２を搭載した水中移動ビークル１にはケーブル４が接続されており、このケーブル４は、オペレーションフロア４８上や燃料交換機上などに設置された制御操作部５と点検センサ出力処理部６に接続されている。また、炉下部のＣＲＤ（制御棒駆動機構）ハウジング４７上にはシュラウド下部胴４９上での水中移動ビークル１の圧力容器円周方向の基準位置を定める位置決め治具３０が設置されている。さらに制御操作部５と点検センサ出力処理部６は検査位置データなどの情報授受のために相互に接続されている。
【００１８】
炉下部での検査を行う場合、点検センサ２を搭載した水中移動ビークル１は原子炉圧力容器４１の上方から炉内へ投入され、遊泳しながら潜行し上部格子板４３および炉心支持板４４を通過して炉下部へ到達する。次に位置決め治具３０により下部胴上の検査開始位置を定め、水中移動ビークル１により点検センサ２を検査箇所へ搬送して検査を開始する。
【００１９】
図２に水中移動ビークル１の構成を示す。図２に示すように、一対の上下スラスタ７が水中移動ビークル１上部に左右に同じ角度だけ傾けて配置され、中央部には一対の水平スラスタ８が配置されている。またシュラウド４２上を走行移動するためにボールキャスタ１２と、ボールキャスタ１２の反対側に二つの走行車輪９および二つの距離計測ローラ１０が配置されている。また中央下部には傾斜センサ１３が設けられている。点検センサ２はフェーズドアレイ超音波探触子であり、点検センサ保持部３により水中移動ビークル１の下部に取付けられている。点検センサ２は取付けプレート２１を介して２本のアーム２０により吊り下げられている。
【００２０】
水中移動ビークル１は、一対の上下スラスタ７の各々の回転羽根の回転方向を操作して水流の方向を組み合わせることで潜行、浮上および左右遊泳を行う。また一対の水平スラスタ８により前進、後進および垂直軸周りの旋回遊泳を行う。水中移動ビークル１の上側にはフロート１４が配置されており水中での自重と浮力がバランスするように調整することで、上部格子板４３や炉心支持板４４を通過した後に真横に遊泳してシュラウド４２内面へ向かうことができる。また水中において重心より浮力の中心が上になるように構成されているので、停止時には常に点検センサ２が下になるように保持されると共に水平スラスタ８による遊泳時の姿勢を安定させることができる。
【００２１】
水中移動ビークル１は原子炉内を遊泳移動し検査箇所近傍へ到達した後に、水平スラスタ８によりビークル前面側から後面側へ水流を生成させることで検査対象であるシュラウド４２に吸着し、ボールキャスタ１２と走行車輪９および距離計測ローラ１０を接触させる。次に押付けスラスタ２２により点検センサ２をシュラウド４２側へ押し付ける。
【００２２】
ビークル吸着後に搭載の傾斜センサ１３によりビークルの傾斜を計測し、傾いている場合には図示しない車輪駆動モータにより上下の走行車輪９を反対方向に駆動して水中移動ビークル１の姿勢を鉛直に補正する。そして図示しない車輪駆動モータにより走行車輪９を回転して走行移動する。
【００２３】
水中移動ビークル１はシュラウド４２に３点で接触しており、距離を一定に保ちながら水平に移動することができる。この時に傾斜センサ１３により水中移動ビークル１の傾斜を計測し、傾斜している場合には上下の走行車輪９の回転速度を調整し制御することで姿勢を垂直に保ちながら水平に走行移動することができる。また、水中移動ビークル１を傾斜させて切返しながら移動することで上下方向にも移動することができる。
【００２４】
車輪９による走行時には距離計測ローラ１０も同時に回転するのでエンコーダ等の回転センサ１１により、吸着したシュラウド４２に対する水中移動ビークル１の走行距離すなわち点検センサ２の相対移動量を計測することができる。
【００２５】
次に図３を参照して点検センサ保持部３の構造および動作を説明する。図３にはシュラウド４２下方の炉下部において、シュラウドサポートリング５０とシュラウド下部胴４９を接合する水平溶接線５２近傍、あるいはシュラウドサポートリング５０とシュラウドサポートシリンダ５１を接合する水平溶接線５３近傍を検査する場合の点検センサ２の設置状態を示す。
【００２６】
水中移動ビークル１の下部にアーム２０がヒンジピン２４により回転可能に取付けられ、アーム２０の先端にはヒンジピン２５を介して取付けプレート２１が回転可能に取付けられている。点検センサ２の両側に配置された取付けプレート２１には軸受けを介して回転ローラ２３が取付けられ、点検センサ２の背中側には押付けスラスタ２２が配置されている。
【００２７】
水中移動ビークル１が炉心支持板４４を通過して炉下部に進入し、シュラウド下部胴４９に吸着した後に、押し付けスラスタ２２により回転ローラ２３をシュラウドサポートリング５０に押し当てる。これにより、シュラウド下部胴４９とシュラウドサポートリング５０の相対位置がずれている場合に、水中移動ビークル１の吸着面であるシュラウド下部胴４９に対するシュラウドサポートリング５０の出っ張り寸法が異なっても、点検センサ２を水平溶接線５２あるいは５３に対して一定距離に保ちながら水平に移動して検査を行うことができる。
【００２８】
なお、本実施の形態においては押付けスラスタ２２により前方に押し付けているが、スラスタの代わりにスプリングを用いてヒンジピン２４周りにアーム２０を前方に押し出す構造としてもよい。
【００２９】
次に、図４〜図６により位置決め治具３０の構成と運用方法について説明する。
図４は位置決め治具３０の構成を示す斜視図である。位置決め治具３０は、シュラウド４２内側の炉心支持板４４より下の炉下部において、シュラウドサポートリング５０の上側水平溶接線５２や下側水平溶接線５３の検査を行う場合に、シュラウド下部胴４９上での水中移動ビークル１の円周方向の基準位置を定める（図１，図３参照）。
【００３０】
位置決め治具３０は、燃料交換機ホイストなどを用いて上部のつかみ部３１により吊り下げ、上部格子板４３と炉心支持板４４を通過させＣＲＤハウジング４７上に着座部３７を着座させて設置する。つかみ部３１の下には炉心支持板４４上の位置決めピンと嵌まり合う位置決めピンガイド３３と、方位調整板３２およびクランプ機構３４が配置されており、さらにその下に図示しないエアシリンダにより前後に進退動作可能な円周方向位置決め板３５と上下方向位置決め板３６が配置されている。
【００３１】
図５に炉下部における位置決め治具３０の設置状態を示す。着座部３７がＣＲＤハウジング４７上に設置され、上部において炉心支持板４４に対してクランプ機構３４により固定保持されている。位置決め治具３０の設置後に、円周方向位置決め板３５を展開してシュラウド下部胴４９に押し当てて固定することにより、水中移動ビークル１の円周方向の基準位置とする。
【００３２】
図６に水中移動ビークル１の円周方向の位置決め方法を示す。位置決め治具３０は炉心支持板４４の最外周の穴を通して設置される。円周方向位置決め板３５の展開方向は、炉心支持板４４上の位置決めピン５４を基準としている。図６において、例えば炉心中心に対する円周方向位置決め板３５の展開方向と位置決めピン５４のなす角度がθ１の時には、図４に示した位置決めピンガイド３３を回転させて、目盛りを記載した方位調整板３２により展開方向と位置決めピンガイド３３のなす角度がθ１となるように調整して固定する。この角度がθ２の場合には同様にして位置決めピンガイド３３の位置を調整する。
【００３３】
このようにして位置決め治具３０を設置し円周方向位置決め板３５を展開してシュラウド下部胴４９に押し当てて固定する。そしてシュラウド下部胴４９に吸着させた水中移動ビークル１を水平に走行させ、円周方向位置決め板３５に接触した位置を円周方向の基準とする。また上下方向の位置についても水中移動ビークル１の上部を上下方向位置決め板３６に接触させ、その位置を上下方向の基準とする。
【００３４】
この位置を検査開始位置として水中移動ビークル１を反時計方向に走行させたり、反時計方向に一定距離だけ動いた後に位置決め治具３０を撤去して反時計方向に走行させて検査を行う。さらに検査終了位置の基準とすることもできる。
【００３５】
以上に述べた本発明の第１の実施の形態の原子炉内検査装置は、炉心部や炉下部での検査を行う際に、水中移動ビークル１を上部格子板４３や炉心支持板４４を通過させた後にスラスタで自由に遊泳させ吸着位置を遠隔で調整することができる。また、吸着後に走行車輪で任意位置へ移動させることも可能である。すなわち上部格子板４３や炉心支持板４４での進入位置から離れたところへ移動できるので、進入位置が限られていても一箇所から広範囲の検査を行うことができる。
【００３６】
また、炉下部では位置決め治具３０に水中移動ビークル１を機械的に接触させて位置設定を行うので、円周方向の基準を正確に設定し、再現性をもたせることができる。以上のことから原子炉内でシュラウド内側の溶接線などの検査を遠隔で行うことが可能となり短時間で広範囲の検査を行うことができ、特に炉下部では検査範囲の設定精度が向上し検査品質を向上させることができる。
【００３７】
次に本発明の第２の実施の形態の原子炉内検査装置を説明する。本実施の形態では点検センサ２として第１の実施の形態におけるフェーズドアレイ超音波探触子の代わりに目視検査用のカメラまたは渦流探傷用センサを搭載する。水中移動ビークル１は上部格子板４３や炉心支持板４４での進入位置から離れた位置の検査が可能であることから、進入位置が限られていても広範囲の検査が可能であり、壁面に吸着しながら走行するので壁面との距離を一定に保ちながらシュラウド４２等の各種検査を連続的に行うことができる。従って、原子炉内でシュラウド内側の上部格子板や炉心支持板より下の領域において、溶接線などの検査を遠隔で行うことが可能であり、短時間で広範囲の検査を行うことができる。
【００３８】
次に本発明の第３の実施の形態の原子炉内検査装置を説明する。本実施の形態では、位置決め治具３０の円周方向位置決め板３５に超音波式や渦電流式の距離センサを取付けた構成とする。水中移動ビークル１の側面からケーブル４を取り出している場合、水中移動ビークル１の位置設定時に円周方向位置決め板３５に水中移動ビークル１を接触させることができない。本実施の形態では距離センサを用いることにより、水中移動ビークル１を接触させないで接近した状態で水中移動ビークル１までの相対距離を測定することにより位置設定を行うことが可能になる。その結果、位置決め治具３０を一箇所に設置して両側の検査が可能になるので、検査要求箇所が離れている場合にも、間の一箇所に位置決め治具３０を設置すればよい。従って設置箇所を減らすことができ、作業能率が向上する。
【００３９】
次に本発明の第４の実施の形態の原子炉内検査装置を説明する。本実施の形態では位置決め治具３０の代わりに水中カメラを用いる。水中移動ビークル１の位置設定時に基準となる炉内構造物と水中移動ビークル１や点検センサ２の相対位置をこの水中カメラで撮影し、その画像から所望の位置に水中移動ビークル１が移動したことを判別する。基準となる構造物がある場合には位置決め治具３０が不要で、より取扱いやすい水中カメラのみで位置設定を行うことが可能であり、作業時間を短縮することができる。
【００４０】
次に本発明の第５の実施の形態の原子炉内検査装置を説明する。本実施の形態では位置決め治具３０の代わりに、搭載したカメラの向きが上下、水平方向に遠隔で調整可能であり、さらに調整した角度が計測可能な雲台と、この雲台に取付けられた水中カメラを用いる。炉下部において検査を行う場合、まず水中カメラを搭載した雲台を位置決めピン５４を基準として炉心支持板４４の穴に設置し（図６参照）、水中移動ビークル１が所望の位置にある時に、水中移動ビークル１や点検センサ２上に定めた基準となる標的が水中カメラの画像の中心に撮影される方向に水中カメラの向きを合わせておく。次に水中移動ビークル１を走行させてビークル１や点検センサ２上の基準となる標的が、撮像画面の中心に撮影されるまでビークル１を移動させる。この状態を確認することによりビークル１が所望の位置に移動していることを判別し、ビークル１の位置設定を行う。
【００４１】
本実施の形態によれば、雲台の上下、水平方向の角度を変えることで複数の位置に水中移動ビークル１の位置設定が可能である。従って位置設定作業を効率的に行い作業時間を短縮することができる。
【００４２】
次に本発明の第６の実施の形態の原子炉内検査装置を説明する。本実施の形態では位置決め治具３０の代わりに、搭載したレーザーマーカおよび水中カメラの向きが上下、水平方向に遠隔で調整可能であり、さらに調整した角度が計測可能な雲台と、この雲台に取付けられたレーザーマーカおよび水中カメラを用いる。
【００４３】
炉下部において検査を行う場合、まずレーザーマーカおよび水中カメラを搭載した雲台を位置決めピン５４を基準として炉心支持板４４の穴に設置し、水中移動ビークル１が所望の位置にある時に、水中移動ビークル１や点検センサ２上に定めた基準となる標的にレーザー光が照射される方向に雲台の向きを合わせておく。次に水中移動ビークル１を走行させ、水中移動ビークル１や点検センサ２上の基準となる標的にレーザー光が照射される位置に来るまで水中移動ビークルを移動させる。この状態を水中カメラで確認することにより水中移動ビークル１が所望の位置に移動していることを判別し、水中移動ビークル１の位置設定を行う。
【００４４】
本実施の形態によれば、雲台の上下、水平方向の角度を変えることで複数の位置に水中移動ビークル１の位置設定が可能である。従って位置設定作業を効率的に行い作業時間を短縮することができる。また、位置設定時の誤差はレーザー光の照射点と標的のずれであり、これは雲台と水中移動ビークル１の距離が異なっても変化することはないので、位置設定精度が向上し検査品質を高めることができる。
【００４５】
【発明の効果】
本発明によれば、原子炉圧力容器内に設けられたシュラウド等の炉内構造物の検査を作業性よく効率的に行うことができる。
【図面の簡単な説明】
【図１】本発明の第１の実施の形態の原子炉内検査装置を原子炉に設置した状態を示す図。
【図２】本発明の第１の実施の形態の原子炉内検査装置を構成する水中移動ビークルを示し、（ａ）は正面図、（ｂ）は部分側面図。
【図３】本発明の第１の実施の形態の原子炉内検査装置を構成する水中移動ビークルに搭載する点検センサ保持部の側面図。
【図４】本発明の第１の実施の形態の原子炉内検査装置においてシュラウド円周方向の基準位置を定める位置決め治具の斜視図。
【図５】本発明の第１の実施の形態の原子炉内検査装置における位置決め治具の原子炉内設置状態を示す縦断面図。
【図６】本発明の第１の実施の形態の原子炉内検査装置において位置決め治具を用いた原子炉内円周方向の基準位置の設定方法を説明する平面図。
【符号の説明】
１…水中移動ビークル、２…点検センサ、３…点検センサ保持部、４…ケーブル、５…制御操作部、６…点検センサ出力処理部、７…上下スラスタ、８…水平スラスタ、９…走行車輪、１０…距離計測ローラ、１１…回転センサ、１２…ボールキャスタ、１３…傾斜センサ、１４…フロート、２０…アーム、２１…取付けプレート、２２…押付けスラスタ、２３…回転ローラ、２４…ヒンジピン、２５…ヒンジピン、３０…位置決め治具、３１…つかみ部、３２…方位調整板、３３…位置決めピンガイド、３４…クランプ機構、３５…円周方向位置決め板、３６…上下方向位置決め板、３７…着座部、４０…水、４１…原子炉圧力容器、４２…シュラウド、４３…上部格子板、４４…炉心支持版、４５…下鏡、４６…スタブチューブ、４７…ＣＲＤハウジング、４８…オペレーションフロア、４９…シュラウド下部胴、５０…シュラウドサポートリング、５１…シュラウドサポートシリンダ、５２…水平溶接線、５３…水平溶接線、５４…位置決めピン。
【図１】
2005030773.tif 000003
【図２】
2005030773.tif 000004
【図３】
2005030773.tif 000005
【図４】
2005030773.tif 000006
【図５】
2005030773.tif 000007
【図６】
2005030773.tif 000008